(57)【要約】【課題】  輸送時等における円盤状記録媒体の脱盤を可及的に防止すると共に多量生産に適する保持手段の妄動防止機能を備えた円盤状記録媒体のケースを提供すること。【解決手段】  円盤状記録媒体ａを収めて扉２０を閉じた状態においてケースＳＣの中央部が予期せぬ外力により圧迫されて保持手段５の釦部１０が沈む方向に押圧された場合において、扉２０の裏面側が跳ね上げ部９により押し上げられる円盤状記録媒体ａの上面を押圧して当該記録媒体ａを沈ませるように働く力と、その跳ね上げ部９により第２ヒンジ８を介して釦部１０を押し上げるように働く力とを拮抗させることにより、釦部１０のトグル死点ｙを越えて押し込まれる状態を阻止させ、かつ、外力の減少又は消滅により円盤状記録媒体ａが係合溝１５に再び固定保持されるように構成した。【選択図】  図５
2005029260.tif 000002
【特許請求の範囲】
【請求項１】
コンパクトディスク等の円盤状記録媒体を本体の正面側から出し入れできるように正面の扉を開閉自由に設け、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の側壁片に夫々連接され、さらに前記一対の脚片に、円盤状記録媒体の固定用穴を係止させるための係合溝が形成された環形片を前記釦部の周囲に夫々配設すると共にその固定用穴の周縁下面に対応する跳ね上げ部を一体に形成した保持手段を設け、円盤状記録媒体の固定用穴を該保持手段の環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の沈む動作を抑制して同記録媒体の固定状態を解放させるように設けられた円盤状記録媒体のケースであって、
前記保持手段については、前記第１ヒンジに対して第２ヒンジが一直線状となる移動経路中のトグル死点に位置するときに、前記釦部及び環形片の頂面が当該保持部に装着された円盤状記録媒体の上面よりも低くなるように設けられ、
円盤状記録媒体を収めて前記扉を閉じた状態においてケースの中央部が外力により圧迫されて前記釦部が沈む方向に押圧された場合に、その扉の裏面側が前記跳ね上げ部により押し上げられる円盤状記録媒体の上面を押圧して当該記録媒体を沈ませるように働く力と、その跳ね上げ部により第２ヒンジを介して当該釦部を押し上げるように働く力とを拮抗させることにより、釦部はトグル死点を越えて押し込まれる動作を阻止され、かつ、前記外力の減少・消滅により円盤状記録媒体を前記環形片に再び固定保持させるように構成したことを特徴とする保持手段の妄動防止機能を備えた円盤状記録媒体のケース。
【請求項２】
前記扉の内側部に浮上がり防止用突部を設け、その浮上がり防止用突部が、通常の高さ位置に固定保持される円盤状記録媒体の外周縁の上面にほぼ接触状に近接するように設けられていることを特徴とする請求項１に記載した保持手段の妄動防止機能を備えた円盤状記録媒体のケース。
【請求項３】
コンパクトディスク等の円盤状記録媒体を本体の正面側から出し入れできるように正面の扉を開閉自由に設け、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の側壁片に夫々連接され、さらに前記一対の脚片に、円盤状記録媒体の固定用穴を係止させるための係合溝が形成された環形片を前記釦部の周囲に夫々配設すると共にその固定用穴の周縁下面に対応する跳ね上げ部を一体に形成した保持手段を設け、円盤状記録媒体の固定用穴を該保持手段の環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の沈む動作を抑制して同記録媒体の固定状態を解放させるように設けられた円盤状記録媒体のケースであって、
前記扉の内側部に浮上がり防止用突部を設け、その浮上がり防止用突部は、通常の高さ位置に固定保持される円盤状記録媒体の外周縁の上面にほぼ接触状に近接するように設けられ、
円盤状記録媒体を収めて前記扉を閉じた状態においてケースの中央部が外力により圧迫されて前記釦部が押圧された場合に、前記第２ヒンジがトグル死点に位置するときの円盤状記録媒体は、前記外周縁の上面を前記浮上がり防止用突部に当接させると共に中央部を前記跳ね上げ部により押し上げられて湾曲状に弾性変形するように設けられ、かつ、前記釦部及び環形片の頂面を該中央部の上面よりもやや高くなるように設けられ、釦部をさらに押圧されたときには、トグル死点を越えて押し込まれる釦部が前記弾性変形による復元力により押し戻されるように設けられ、かつ、前記外力の減少・消滅により円盤状記録媒体を前記環形片に再び固定保持させるように構成したことを特徴とする保持手段の妄動防止機能を備えた円盤状記録媒体のケース。
【請求項４】
前記扉については、前記釦部及び環形片の頂面に対向する裏面側に窪みが設けられていることを特徴とする請求項１から３の何れかに記載した保持手段の妄動防止機能を備えた円盤状記録媒体のケース。
【請求項５】
前記扉については、前記釦部及び環形片の頂面に対向する裏面側に窪みを、円盤状記録媒体の固定用穴の周縁上面に対向する裏面に適宜高さの突起部を設けたことを特徴とする請求項１から４の何れかに記載した保持手段の妄動防止機能を備えた円盤状記録媒体のケース。
【請求項６】
通常の高さ位置に固定保持される円盤状記録媒体の上面から突出する前記釦部の頂面の高さ寸法が、前記第２ヒンジの上死点からトグル死点間の移動寸法よりも小さくなるように設けられていることを特徴とする請求項１から５の何れかに記載した保持手段の妄動防止機能を備えた円盤状記録媒体のケース。
【発明の詳細な説明】
【技術分野】
【０００１】
本発明は、音楽や映像を記録したコンパクトディスク(ＣＤ)、デジタル・ビデオ・ディスク(ＤＶＤ)等の円盤状記録媒体を収納する販売用のケースに関するものである。
【背景技術】
【０００２】
従来の円盤状記録媒体のケースの保持手段として、中央部分を指先で押圧されることにより縮径して同記録媒体の固定を解放する構造のものがある。例えば、特許第２８６３３１７号の「コンパクト・ディスクを保持する装置」では、ケースの基部から内側に延びる２つの片持ち梁式のアームの先端にディスクの中央孔を係合させるための、中央のヒンジを介して接続されたほぼ半円形のセグメントからなるボタン部材を一体に設け、ディスクの中央孔をそのボタン部材の上においてディスクを押し下げることにより、ディスクを固定保持している。他方、ディスクが保持された状態にてボタン部材の中央部を押すと、アームが撓んで基部のほうに押されてボタン部材のリップが中央孔をくぐるので、ディスクはボタン部材との係止を解除されるように構成されている。ところが、その保持装置においては、ケースの取り扱い又は輸送時に予期せぬ大きな外力が作用してケースの中央部が圧迫された場合には、ボタン部材に固定保持されたディスクが外れてしまい、ディスクの表面を傷つける等の危惧を生ずる。
【０００３】
しかして、上記特許第２８６３３１７号のコンパクト・ディスクの保持装置等に類する構造に見られる欠点を改善する保持手段の提案が、特開２００１−２０６４７８号公報の「ディスク用ケース」に開示されている。そのケースの保持手段は、ディスクの中央孔の位置を規制する突起部と、この突起部により規制されるディスクの中央孔の内壁に弾力的に嵌合する係止部とを備えた係合部を設け、その係止部の片持ち梁式のアームの先端に設けられたボタン部が押し下げられてディスクとの係止関係が解除される直前位置のボタン部の高さと同じくらいに突起部の高さを設けることにより、ディスクとの係止が解除されるのを防止する構造とされている。
【０００４】
特開２００３−２６２７１号公報の「円盤状記録媒体の収納ケース」は、本件出願人にかかるものであり、扉の裏面に設けた突起部が直接または間接的に円盤状記録媒体の上面を押圧し、保持部の押圧部の下降動作と突き上げ部の跳ね上がり動作を拮抗させることにより、円盤状記録媒体の脱盤を防止するように構成されている。
【０００５】
上記特許第２８６３３１７号の保持装置において、輸送時等に発生する脱盤事故により円盤状記録媒体の表面に傷がついておれば当然のことながら品質不良となり、商品価値がなくなる。また、特開２００１−２０６４７８号公報に開示された保持手段においては、ボタン状部のリップがディスクの中央孔の１箇所に係合してディスクを固定保持する構成とされているため、ディスクを保持したときの安定感が良好とは言えない。特開２００３−２６２７１号公報に開示されたケース構造については、脱盤事故を防止することができるところ、扉の内側に収められる冊子を突起部で押圧するために当該冊子に押圧による痕跡が残ることが生ずることがある。
【０００６】
かかる状況から、輸送時等に円盤状記録媒体のケースの中央部が外力により圧迫されて保持手段の釦部が押圧された場合において、円盤状記録媒体の固定状態が簡単に解放されないような妄動防止機能を有する品質の優れたケースの商品化が望まれていた。
【特許文献１】特許第２８６３３１７号公報
【特許文献２】特開２００１−２０６４７８号公報
【特許文献３】特開２００３−２６２７１号公報
【発明の開示】
【発明が解決しようとする課題】
【０００７】
この発明の目的は、輸送時等における円盤状記録媒体の脱盤を防止すると共に多量生産に適する保持手段の妄動防止機能を備えた円盤状記録媒体のケースを提供することにある。
【課題を解決するための手段】
【０００８】
前記目的を達成するために請求項１に記載の発明は、コンパクトディスク等の円盤状記録媒体を本体の正面側から出し入れできるように正面の扉を開閉自由に設け、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の側壁片に夫々連接され、さらに前記一対の脚片に、円盤状記録媒体の固定用穴を係止させるための係合溝が形成された環形片を前記釦部の周囲に夫々配設すると共にその固定用穴の周縁下面に対応する跳ね上げ部を一体に形成した保持手段を設け、円盤状記録媒体の固定用穴を該保持手段の環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の沈む動作を抑制して同記録媒体の固定状態を解放させるように設けられた円盤状記録媒体のケースであって、
前記保持手段については、前記第１ヒンジに対して第２ヒンジが一直線状となる移動経路中のトグル死点に位置するときに、前記釦部及び環形片の頂面が当該保持部に装着された円盤状記録媒体の上面よりも低くなるように設けられ、円盤状記録媒体を収めて前記扉を閉じた状態においてケースの中央部が外力により圧迫されて前記釦部が沈む方向に押圧された場合に、その扉の裏面側が前記跳ね上げ部により押し上げられる円盤状記録媒体の上面を押圧して当該記録媒体を沈ませるように働く力と、その跳ね上げ部により第２ヒンジを介して当該釦部を押し上げるように働く力とを拮抗させることにより、釦部はトグル死点を越えて押し込まれる動作を阻止され、かつ、前記外力の減少・消滅により円盤状記録媒体を前記環形片に再び固定保持させるように構成したことを特徴とする。
【０００９】
同様の目的を達成するために請求項２に記載の発明は、請求項１に記載の保持手段の妄動防止機能を備えた円盤状記録媒体のケースであって、前記扉の内側部に浮上がり防止用突部を設け、その浮上がり防止用突部が、通常の高さ位置に固定保持される円盤状記録媒体の外周縁の上面にほぼ接触状に近接するように設けられていることを特徴とする。
【００１０】
同様の目的を達成するために請求項３に記載の発明は、コンパクトディスク等の円盤状記録媒体を本体の正面側から出し入れできるように正面の扉を開閉自由に設け、中央の釦部の仮想中心を中心として等角度で放射方向に延びる仮想線を挟むように左右一対の脚片を夫々配置し、各脚片は、その仮想線と直交する線上に配置された第１ヒンジにより一端を座部に連接されると共に、他端の薄肉に形成された第２ヒンジにより前記釦部の側壁片に夫々連接され、さらに前記一対の脚片に、円盤状記録媒体の固定用穴を係止させるための係合溝が形成された環形片を前記釦部の周囲に夫々配設すると共にその固定用穴の周縁下面に対応する跳ね上げ部を一体に形成した保持手段を設け、円盤状記録媒体の固定用穴を該保持手段の環形片に合わせて押圧することにより同記録媒体が固定され、他方、円盤状記録媒体が固定された釦部を押圧することにより、各環形片を仮想中心側に変位させつつ釦部と一緒に沈ませると同時に、前記跳ね上げ部にて円盤状記録媒体の沈む動作を抑制して同記録媒体の固定状態を解放させるように設けられた円盤状記録媒体のケースであって、
前記扉の内側部に浮上がり防止用突部を設け、その浮上がり防止用突部は、通常の高さ位置に固定保持される円盤状記録媒体の外周縁の上面にほぼ接触状に近接するように設けられ、円盤状記録媒体を収めて前記扉を閉じた状態においてケースの中央部が外力により圧迫されて前記釦部が押圧された場合に、前記第２ヒンジがトグル死点に位置するときの円盤状記録媒体は、前記外周縁の上面を前記浮上がり防止用突部に当接させると共に中央部を前記跳ね上げ部により押し上げられて湾曲状に弾性変形するように設けられ、かつ、前記釦部及び環形片の頂面を該中央部の上面よりもやや高くなるように設けられ、釦部をさらに押圧されたときには、トグル死点を越えて押し込まれる釦部が前記弾性変形による復元力により押し戻されるように設けられ、かつ、前記外力の減少・消滅により円盤状記録媒体を前記環形片に再び固定保持させるように構成したことを特徴とする。
【００１１】
同様の目的を達成するために請求項４に記載の発明は、請求項１から３の何れかに記載した保持手段の妄動防止機能を備えた円盤状記録媒体のケースにおいて、前記扉については、前記釦部及び環形片の頂面に対向する裏面側に窪みが設けられていることを特徴とするものである。
【００１２】
同様の目的を達成するために請求項５に記載の発明は、請求項１から４の何れかに記載した保持手段の妄動防止機能を備えた円盤状記録媒体のケースにおいて、前記扉については、前記釦部及び環形片の頂面に対向する裏面側に窪みを、円盤状記録媒体の固定用穴の周縁上面に対向する裏面に適宜高さの突起部を設けたことを特徴とするものである。
【００１３】
同様の目的を達成するために請求項６に記載の発明は、請求項１から５の何れかに記載した保持手段の妄動防止機能を備えた円盤状記録媒体のケースにおいて、通常の高さ位置に固定保持される円盤状記録媒体の上面から突出する前記釦部の頂面の高さ寸法が、前記第２ヒンジの上死点からトグル死点間の移動寸法よりも小さくなるように設けられていることを特徴とするものである。
【発明の効果】
【００１４】
（請求項１の発明）
この保持手段の妄動防止機能を備えた円盤状記録媒体のケースは、保持手段の釦部及び環形片を円滑に出没作動させる構造としているので、円盤状記録媒体の着脱操作を軽快に行うことができる。また、その保持手段には妄動防止機能を備えているので、ケースの取り扱い時又は輸送時に予期せぬ大きな外力によりケースの中央部が圧迫されて釦部が沈む方向に押圧された場合において、円盤状記録媒体の脱盤を可及的に防止することができる。さらに、その保持手段はースに一体成形可能な構造とされているので、多量生産に適し、生産コストの低減化を図ることができる。
【００１５】
（請求項２の発明）
この保持手段の妄動防止機能を備えた円盤状記録媒体のケースは、ケースの取り扱い時又は輸送時にケースの中央部が予期せぬ外力により圧迫されて釦部が沈む方向に押圧された場合において、円盤状記録媒体が跳ね上げ部により押し上げられようとするが、浮上がり防止用突部に外周縁の上面が当接して釦部の沈む動作を抑制するように作用する妄動防止機能を備えているので、円盤状記録媒体の脱盤を可及的に防止することができる。
【００１６】
（請求項３の発明）
この保持手段の妄動防止機能を備えた円盤状記録媒体のケースにおける効果は、前述した請求項１の発明の効果に準ずるので、説明を省略する。
【００１７】
（請求項４の発明）
この保持手段の妄動防止機能を備えた円盤状記録媒体のケースは、釦部及び環形片の上面と扉の裏面とに生ずる空間部が広く確保される構成としているので、予期せぬ外力によりケースの中央部が圧迫されたときに釦部が押圧されにくくなり、円盤状記録媒体の脱盤を防止することができる。加えて、その空間部に余裕が生ずることから、釦部及び環形片のデザイン設計の自由度が増す。
【００１８】
（請求項５の発明）
この保持手段の妄動防止機能を備えた円盤状記録媒体のケースは、釦部及び環形片の上面と扉の裏面との空間部を広く確保する構成としているので、予期せぬ外力によりケースの中央部が圧迫されたときに釦部が押圧されにくくなり、円盤状記録媒体の脱盤の防止効果が一層高められる。加えて、扉に設けた突起部についても跳ね上げ部の跳ね上がり動作を抑制する作用を有するので、円盤状記録媒体の脱盤の防止効果が高められる。
【００１９】
（請求項６の発明）
この保持手段の妄動防止機能を備えた円盤状記録媒体のケースは、釦部の上面と扉の裏面との空間部を広く確保する構成としていて、予期せぬ外力によりケースの釦部の中央部が圧迫されたときにトグル死点を越えて押し込まれる動作が阻止されるので、円盤状記録媒体の脱盤を防止することができる。加えて、円盤状記録媒体を保持手段から取り出す場合において、釦部の高さが低いので指先が固定用穴に引っかかり易く、円盤状記録媒体の取出し操作を円滑に行なうことができる。
【発明を実施するための最良の形態】
【００２０】
以下に、本発明の最良の形態例を図面に基づいて説明する。図１から図５は第１実施形態例、図６及び図７は第２実施形態例、図８及び図９は第３実施形態例、図１０は第４実施形態例にかかるものであって、図１は円盤状記録媒体のケースの扉を開いた状態を示す正面図、図２は保持手段の正面図、図３は図２の要部の断面図、図４は釦部が押し込まれて格納された状態を示す説明図、図５は扉に外力が作用して円盤状記録媒体の上面よりも釦部がやや低い位置にある状態を示す模式図、図６は扉に外力が作用して円盤状記録媒体の上面よりも釦部がやや高い位置にあり、浮上がり防止用突部が作用している状態を示す模式図、図７は図６の状態から釦部が少し沈んで円盤状記録媒体の上面とほぼ同じ高さとなり、円盤状記録媒体の中央部が凸状に変形している状態を示す模式図、図８は通常状態におけるケースの扉の一部と釦部及び環形片との位置関係を示す説明図、図９は扉に外力が作用して釦部が円盤状記録媒体の上面よりも少し高い位置にある状態を示す模式図、図１０は扉に外力が作用して円盤状記録媒体の上面よりも釦部がやや低い位置にある状態を示す模式図である。
（第１実施形態例）
【００２１】
図１に示す本発明にかかる円盤状記録媒体のケースＳＣは販売専用の収納ケースであり、保持手段の妄動防止機能を備えている。このケースＳＣは、箱型形状の本体１と扉２０とを合成樹脂材料により一体成形している。
その本体１には、ほぼ正方形の背部２の中央下方にデジタル・ビデオ・ディスク(ＤＶＤ)等の円盤状記録媒体ａの固定用穴ｂを嵌着させるための保持手段５を設け、その背部２の周縁に側片２ａが一体に形成されている。３は保持手段５に装着される円盤状記録媒体ａの外周縁ｃを支持するための円弧状突部であり、背部２に一体に形成されている。
【００２２】
図２及び図３に示すように、保持手段５については、本体１の背部２の中央に配置された円形座部５ａに形成した開口部４の中央に、ほぼ三角形の釦部１０の仮想中心（イ）を中心として等角度、この例では１２０°間隔で放射方向に延びる仮想線（ロ）を挟むように左右一対の脚片７，７を３ヵ所に配置する。各々の脚片７は、その仮想線（ロ）と直交する線（ハ）上に配置された第１ヒンジ６により一端７ａを円形座部５ａに設けた仮想線（ロ）と同じ方向に弾性変形可能な連結片５ｂによって連接されると共に、その他端７ｂの薄肉に形成された第２ヒンジ８によって釦部１０の側壁片１１の下端１１ａに夫々連接されている。
【００２３】
１３は円盤状記録媒体ａの固定用穴ｂを係止させるための係合溝１５が形成された環形片である。それらの環形片１３は釦部１０の周囲に配置されており、第２ヒンジ８から外方に形成された凹溝１２を介して左右一対の脚片７，７に一体に設けられている。９は左右一対の脚片７，７の後部に差し渡すように一体に形成された跳ね上げ部であって、各々の跳ね上げ部９は、円盤状記録媒体ａの固定用穴ｂの周縁下面に対応するように設けられている。
【００２４】
上記保持手段５については、図５に示すように、第１ヒンジ６の折曲点ｏに対して第２ヒンジ８の折曲点が一直線状となる移動経路中のトグル死点ｙに位置するときに、釦部１０及び環形片１３の頂面が、保持手段５に装着された円盤状記録媒体ａの上面よりも低くなるように設けられている。
【００２５】
上記本体１の左側縁には、薄肉に形成したヒンジ１９ａにより中央側片１９の一側縁を連接する。その中央側片１９の他側縁には、薄肉に形成したヒンジ１９ｂにより正面の扉２０を一体状に連接して当該扉２０を開閉可能に設ける。
【００２６】
つぎに、上記構成になる円盤状記録媒体のケースＳＣにおける保持手段５の操作及び作用について説明する。
（１）保持手段５の環形片１３に円盤状記録媒体ａの固定用穴ｂを合わせてその周辺部を押圧すると、環形片１３は、第１ヒンジ６及び第２ヒンジ部分８の歪み弾性変形作用により仮想中心側に変位しつつ沈んでその固定用穴ｂを通過させる。これとほぼ同時に、環形片１３はその歪み弾性変形作用によって元の位置（第２ヒンジ８の折曲点：上死点ｘ）に戻るので、円盤状記録媒体ａは係合溝１５に固定用穴ｂを係止されて固定保持される（図３）。
（２）他方、円盤状記録媒体ａが固定された釦部１０を指で押すと、環形片１３は沈んで同記録媒体の固定用穴ｂをくぐる。円盤状記録媒体ａの中央部分は環形片１３と一緒に少し下降するが、固定用穴ｂの周縁の下面が跳ね上げ部９に当接してそれ以上の下降を抑制するため、環形片１３はさらに下降して円盤状記録媒体ａの固定状態が解放される。
（３）釦部１０及び環形片１３は、図４に示すように、円盤状記録媒体ａの固定を解いた位置からさらに沈んだ位置（第２ヒンジ８の折曲点：下死点ｚ）にて保持される。
（４）（３）の状態において、円盤状記録媒体ａの固定用穴ｂを環形片１３に合わせて当該円盤状記録媒体ａを押し込むと、跳ね上げ部９が押されて環形片１３が突出するので、同記録媒体ａは係合溝１５に係止固定される。
【００２７】
つぎに、取り扱い時又は輸送時に予期せぬ大きな外力により円盤状記録媒体のケースＳＣの中央部を圧迫されて釦部１０が沈む方向に押圧された場合について説明する。
図５に示すように、前記外力による釦部１０の押圧により第２ヒンジ８がトグル死点ｙの位置まで移動すると、釦部１０の頂面は、跳ね上げ部９により押し上げられた円盤状記録媒体ａの上面よりもやや低くなる。これにより、円盤状記録媒体ａの上面は、ケースＳＣの扉２０の裏面側により押圧される。しかして、この円盤状記録媒体ａを沈ませるように働く力と、跳ね上げ部９により第２ヒンジ８を介して釦部１０を押し上げるように働く力とが拮抗状態となる。このため、釦部１０はトグル死点ｙを越えて押し込まれる動作を阻止され、外力が減少又は消滅することにより円盤状記録媒体ａは係合溝１５に再び固定保持される。
（第２実施形態例）
【００２８】
この円盤状記録媒体のケースは請求項３の発明に関するものであり、上記第１実施形態例で述べた保持手段５の跳ね上げ部９に対応する跳ね上げ部１０９の長さを少し短くすると共に扉１２０に浮上がり防止用突部１２１を設けている点が相違し、その他の構成部分については第１実施形態例と全く同じ構成とされている。
なお、第１実施形態例の構成部分と同一部分については、当該実施の形態例の説明に用いた符号に対応する符号（百番台）を図面に記載して説明を省略する。
【００２９】
即ち、扉１２０の対向する内側部１２０ａには、当該扉１２０を閉じた状態で保持部１０５を正面から見て、その保持部１０５の仮想中心（イ）を通る直線上に位置するように一対の浮上がり防止用突部１２１，１２１を夫々一体に形成している（図１）。それら浮上がり防止用突部１２１は、通常の高さ位置に固定保持される円盤状記録媒体ａの外周縁ｃの上面にほぼ接触状に近接するように設けられている。
【００３０】
なお、扉１２０の内側に冊子類を収めることができるように、扉１２０の裏面と浮上がり防止用突部１２１との間に隙間（図示せず）を設けることが望ましい。
【００３１】
この円盤状記録媒体のケースにおける円盤状記録媒体を着脱するときの保持手段１０５の作用については、第１実施形態例の項において説明した内容に準ずるので、ケースの取り扱い時又は輸送時に予期せぬ大きな外力によりケースの中央部が圧迫されて釦部１１０が沈む方向に押圧された場合の作用について説明する。
【００３２】
図６に示すように、前記外力による釦部１１０の押圧により第２ヒンジ１０８がトグル死点ｙの位置まで移動すると、釦部１１０及び環形片１１３の頂面は、円盤状記録媒体ａの中央部の上面よりもやや高くなる。そして、円盤状記録媒体ａは、外周縁ｃの上面を浮上がり防止用突部１２１に当接させ、かつ、中央部を跳ね上げ部１０９により押し上げられて湾曲状に弾性変形する。このときには、浮上がり防止用突部が釦部の沈む動作を抑制するように機能し、前記外力が減少・消滅することにより、円盤状記録媒体ａは係合溝１５に再び固定される。
【００３３】
また、図７に示すように、釦部１１０が図６の押圧状態からさらに押圧されたときには、トグル死点ｙを越えて押し込まれる釦部１１０は円盤状記録媒体ａの弾性変形による復元力により押し戻されるように動作する。そして、前記外力が減少・消滅することにより、円盤状記録媒体ａは係合溝１５に再び固定される。
（第３実施形態例）
【００３４】
この円盤状記録媒体のケースは請求項５の発明に関するものであり、保持手段２０５の釦部２１０及び環形片２１３の頂面に対向する扉２２０の箇所に窪み２２２を、円盤状記録媒体ａの固定用穴ｂの周縁上面に対向する同箇所に突起部２２３を設けている点が相違し、その他の構成部分については第１実施形態例と全く同じ構成とされている。
なお、第１実施形態例の構成部分と同一部分については、当該実施の形態例の説明に用いた符号に対応する符号（二百番台）を図面に記載して説明を省略する。
【００３５】
図８に示すように、扉２２０の裏面２２０ｂ側には、釦部２１０及び環形片２１３の頂面に対向する箇所に所定深さの窪み２２２が形成されている。また、この扉２２０の裏面２２０ｂには、円盤状記録媒体ａの固定用穴ｂの周縁上面に対向する箇所に適宜高さの突起部２２３が一体に形成されている。
【００３６】
この円盤状記録媒体のケースにおける円盤状記録媒体を着脱するときの保持手段２０５の作用については、第１実施形態例の項において説明した内容に準ずるので、ケースの取り扱い時又は輸送時に予期せぬ大きな外力によりケースの中央部が圧迫されて釦部２１０が沈む方向に押圧された場合の作用について説明する。
【００３７】
図９に示すように、前記外力による釦部２１０の押圧により第２ヒンジ２０８がトグル死点ｙの直前位置まで移動すると、釦部２１０の頂面は、跳ね上げ部９により少し押し上げられた円盤状記録媒体ａの上面よりもまだ高い位置にある。この状態において、その外力が減少又は消滅すると、環形片２１３が第１ヒンジ２０６及び第２ヒンジ部分２０８の歪み弾性変形作用により元の位置に戻るので、円盤状記録媒体ａは係合溝２１５に再び固定保持される。
【００３８】
図９に示す状態から釦部２１０がさらに押圧されて第２ヒンジ２０８がトグル死点ｙの位置まで移動すると、円盤状記録媒体ａの上面は、扉２２０の突起部２２３よって押圧される。しかして、この円盤状記録媒体ａを沈ませるように働く力と、跳ね上げ部２０９により第２ヒンジ２０８を介して釦部２１０を押し上げるように働く力とが拮抗状態となる。このため、釦部２１０はトグル死点ｙを越えて押し込まれる動作を阻止され、外力が減少又は消滅することにより円盤状記録媒体ａは係合溝２１５に再び固定保持される。
（第４実施形態例）
【００３９】
この円盤状記録媒体のケースは請求項６の発明に関するものであり、図１０に示すように、保持手段３０５の釦部３１０の頂面が、通常の高さ位置に固定保持される円盤状記録媒体ａの上面から突出する高さ寸法Ｔを、前記第２ヒンジ３０８の上死点ｘからトグル死点ｙの間の移動寸法Ｎよりも小さくなるように設ける点が相違し、その他の構成部分については第１実施形態例と全く同じ構成とされている。
なお、第１実施形態例の構成部分と同一部分については、当該実施の形態例の説明に用いた符号に対応する符号（三百番台）を図面に記載して説明を省略する。
【００４０】
この円盤状記録媒体のケースにおいて、取り扱い時又は輸送時に予期せぬ大きな外力により当該ケースの中央部を圧迫された場合の保持手段３０５の作用について説明する。
図１０に示すように、上記外力により釦部３１０が押圧されて第２ヒンジ３０８がトグル死点ｙの位置まで移動すると、その釦部３１０の沈む動作に連動する跳ね上げ部３０９により円盤状記録媒体ａが押し上げられ、ケースの扉（図示せず）の裏面が当該円盤状記録媒体ａの上面を押圧する。このときに、この円盤状記録媒体ａを沈ませるように働く力と、跳ね上げ部３０９により第２ヒンジ３０８を介して釦部３１０を押し上げるように働く力とが拮抗状態となる。
しかして、釦部３１０の頂面の高さ寸法Ｔが第２ヒンジ３０８の上死点ｘからトグル死点ｙの間の移動寸法Ｎよりも小さく設けられていて、釦部３１０のトグル死点ｙを越えて押し込まれる動作が阻止されるため、円盤状記録媒体ａの脱盤が生じない。
【００４１】
以上に述べた通り、本発明の保持手段の妄動防止機能を備えた円盤状記録媒体のケースによれば、輸送時等における円盤状記録媒体の脱盤を可及的に防止することができる。加えて、円盤状記録媒体を着脱自由とする保持手段はケースに一体成形可能な構造とされているので、多量生産に適し、生産コストの低減化を図ることができる。
【図面の簡単な説明】
【００４２】
図１から図５は第１実施形態例、図６及び図７は第２実施形態例、図８及び図９は第３実施形態例、図１０は第４実施形態例にかかるものである。
【図１】円盤状記録媒体のケースの扉を開いた状態を示す正面図
【図２】保持手段の正面図
【図３】図２の要部の断面図
【図４】釦部が押し込まれて格納された状態を示す説明図
【図５】扉に外力が作用して円盤状記録媒体の上面よりも釦部がやや低い位置にある状態を示す模式図
【図６】扉に外力が作用して円盤状記録媒体の上面よりも釦部がやや高い位置にあり、浮上がり防止用突部が作用している状態を示す模式図
【図７】図６の状態から釦部が少し沈んで円盤状記録媒体の上面とほぼ同じ高さとなり、円盤状記録媒体の中央部が凸状に変形している状態を示す模式図
【図８】通常状態におけるケースの扉の一部と釦部及び環形片との位置関係を示す説明図
【図９】扉に外力が作用して釦部が円盤状記録媒体の上面よりも少し高い位置にある状態を示す模式図
【図１０】扉に外力が作用して円盤状記録媒体の上面よりも釦部がやや低い位置にある状態を示す模式図
【符号の説明】
【００４３】
ＳＣ・・・円盤状記録媒体のケース
ａ・・・円盤状記録媒体
ｂ・・・固定用穴
ｃ・・・外周縁
１・・・本体
２・・・背部
５・・・保持手段
５ａ・・・座部
（イ）・・・仮想中心
（ロ）・・・仮想線
（ハ）・・・線
６・・・第１ヒンジ
７・・・脚片
８・・・第２ヒンジ
ｘ・・・第２ヒンジ８の折曲点：上死点
ｙ・・・第２ヒンジ８の折曲点：トグル死点
ｚ・・・第２ヒンジ８の折曲点：下死点
９・・・跳ね上げ部
１０・・・釦部
１３・・・環形片  １５・・・係合溝
２０・・・扉
１０５・・・保持手段
１１０・・・釦部
１１３・・・環形片
１２０・・・扉
１２１・・・浮上がり防止用突部
２０５・・・保持手段
２１０・・・釦部
２１３・・・環形片
２２０ｂ・・・（扉の）裏面
２２２・・・窪み
２２３・・・突起部
３０５・・・保持手段
３１０・・・釦部
３１３・・・環形片
Ｔ・・・通常の高さ位置に固定保持される円盤状記録媒体の上面から突出する釦部の頂面の高さ寸法
Ｎ・・・第２ヒンジの上死点ｘからトグル死点ｙの間の移動寸法
【図１】
2005029260.tif 000003
【図２】
2005029260.tif 000004
【図３】
2005029260.tif 000005
【図４】
2005029260.tif 000006
【図５】
2005029260.tif 000007
【図６】
2005029260.tif 000008
【図７】
2005029260.tif 000009
【図８】
2005029260.tif 000010
【図９】
2005029260.tif 000011
【図１０】
2005029260.tif 000012